(57)【要約】【課題】広告画像を表示した携帯端末用ケースに携帯端末をロック状態で収納してユーザに貸与することにより広告を行い、その対価として、ユーザにポイントを還元する広告システムを提供する。【解決手段】広告システムＳは、会員であるユーザＵが所有する携帯端末１及び会員カード２と、広告画像が表示された広告画像部３を備え、携帯端末１をロック状態で収納可能であり、ユーザＵに貸与される携帯端末用ケース４と、提携店舗Ｔに設置される店舗用端末５及び携帯端末用ケース４のロック状態を解除するための取り外し治具６と、カード管理会社Ｃ等に設置され、ユーザＵと提携店舗Ｔとの取引に応じてユーザＵに付与されるポイントを管理する管理サーバ７とを有し、携帯端末１、店舗用端末５及び管理サーバ７がネットワークＮを介して接続されている。【選択図】  図１
2013254073.tif 000002
【特許請求の範囲】
【請求項１】
会員であるユーザが所有する携帯端末及び会員カードと、広告画像が表示された広告画像部を備え、前記携帯端末をロック状態で収納可能であり、前記ユーザに貸与される携帯端末用ケースと、提携店舗に設置される店舗用端末及び前記携帯端末用ケースのロック状態を解除するための取り外し治具と、前記ユーザと前記提携店舗との取引に応じて前記ユーザに付与されるポイントを管理する管理サーバとを有し、前記携帯端末、前記店舗用端末及び管理サーバがネットワークを介して接続されている広告システムであって、
前記会員カードには会員識別コードが表示され、
前記広告画像部には広告画像識別コードが表示され、
前記携帯端末用ケースにはケース識別コードが表示され、
前記店舗用端末は、前記会員識別コード、広告画像識別コード及びケース識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報、使用広告画像情報及び使用携帯端末用ケース情報を格納するデータベースと、各種情報を送信する第２の送信手段と、各種情報を受信する第２の受信手段と、前記データベース、前記第２の送信手段及び前記第２の受信手段の処理を制御する第２の制御手段とを有し、
前記提携店舗に出向いた前記ユーザによって、前記携帯端末用ケースに表示すべき広告画像が決定された場合、前記提携店舗の店員によって、前記店舗用端末の読取手段により前記会員識別コード、該当する前記広告画像識別コード及び前記ケース識別コードを読み取り、読み取られた各コード情報を前記第１の送信手段により前記管理サーバに送信し、
前記管理サーバは、前記第２の受信手段により受信された前記各コード情報に基づいて、前記データベースの情報を前記第２の制御手段により登録又は更新し、かつ、
前記提携店舗の店員によって、前記広告画像が表示された広告画像部を備えた前記携帯端末用ケースを前記携帯端末にロック状態で収納し、その状態で前記ユーザに所定の貸与期間貸与され、
前記所定の貸与期間が経過した場合、前記ユーザが出向いた前記提携店舗の店員によって、前記店舗用端末の読取手段により前記会員識別コード、使用された広告画像の広告画像識別コード及びケース識別コードを読み取り、読み取られた各コード情報を前記第１の送信手段により前記管理サーバに送信し、前記管理サーバの前記第２の受信手段により受信された情報と前記データベースの情報とを照合し一致した場合に、前記管理サーバの前記第２の制御手段は、対象となる前記ユーザに所定のポイントを付与するように前記データベースを更新する、
ことを特徴とする広告システム。
【請求項２】
新しい広告画像に変更する場合には、前記提携店舗の店員によって前記取り外し治具を用いて前記携帯端末用ケースのロック状態が解除され、新しい広告画像が表示された広告画像部に変更した後、再度前記携帯端末用ケースがロック状態にされる、
ことを特徴とする請求項１に記載の広告システム。
【請求項３】
前記会員識別コード、広告画像識別コード及びケース識別コードは、バーコード又は二次元コードであることを特徴とする請求項１又は２に記載の広告システム。
【請求項４】
前記店舗用端末には、所定の前記広告画像が表示された広告画像部を備えた携帯端末用ケースを前記ユーザが使用する場合、ユーザ登録用コードが表示された登録用コード付きレシートを出力する出力手段を有し、
前記携帯端末によって前記ユーザ登録用コードを読み取ることにより、前記管理サーバによって運営される前記ネットワーク上のサイトで前記ユーザに関する情報の入力、修正又は確認を行うことが可能である、
ことを特徴とする請求項１乃至３のいずれか１つの項に記載の広告システム。
【請求項５】
前記ユーザ登録用コードは、バーコード又は二次元コードであることを特徴とする請求４に記載の広告システム。
【請求項６】
前記管理サーバの前記第２の送信手段は、前記所定の貸与期間経過した場合、前記ユーザの携帯端末に実装完了情報を送信することを特徴とする請求項１乃至５のいずれか１つの項に記載の広告システム。
【請求項７】
前記携帯端末の画面上に会員識別コードを表示させて前記会員カードの代用にすることを特徴とする請求項１乃至６のいずれか１つの項に記載の広告システム。
【請求項８】
会員であるユーザが所有する携帯端末及び会員カードと、広告画像が表示された広告画像部を備え、前記携帯端末をロック状態で収納可能であり、前記ユーザに貸与される携帯端末用ケースと、提携店舗に設置される店舗用端末及び前記携帯端末用ケースのロック状態を解除するための取り外し治具と、前記ユーザと前記提携店舗との取引に応じて前記ユーザに付与されるポイントを管理する管理サーバとを有し、前記携帯端末、前記店舗用端末及び管理サーバがネットワークを介して接続され、
前記会員カードには会員識別コードが表示され、
前記広告画像部には広告画像識別コードが表示され、
前記携帯端末用ケースにはケース識別コードが表示され、
前記店舗用端末は、前記会員識別コード、広告画像識別コード及びケース識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報、使用広告画像情報及び使用携帯端末用ケース情報を格納するデータベースと、各種情報を送信する第２の送信手段と、各種情報を受信する第２の受信手段と、前記データベース、前記第２の送信手段及び前記第２の受信手段の処理を制御する第２の制御手段とを有し、
（１）前記提携店舗に出向いた前記ユーザによって、前記携帯端末用ケースに表示すべき広告画像が決定された場合、前記提携店舗の店員によって、前記店舗用端末の読取手段により前記会員識別コード、該当する前記広告画像識別コード及び前記ケース識別コードを読み取るステップと、
（２）読み取られた前記各コード情報を前記第１の送信手段により前記管理サーバに送信するステップと、
（３）前記管理サーバは、前記第２の受信手段により受信された前記各コード情報に基づいて、前記データベースの情報を前記第２の制御手段により登録又は更新するステップと、
（４）前記提携店舗の店員によって、前記広告画像が表示された広告画像部を備えた前記携帯端末用ケースを前記携帯端末にロック状態で収納し、その状態で前記ユーザに所定の貸与期間貸与されるステップと、
（５）前記所定の貸与期間経過した場合、前記ユーザが出向いた前記提携店舗の店員によって、前記店舗用端末の読取手段により前記会員識別コード、使用された広告画像の広告画像識別コード及びケース識別コードを読み取るステップと、
（６）読み取られた各コード情報を前記第１の送信手段により前記管理サーバに送信するステップと、
（７）前記管理サーバの前記第２の受信手段により受信された情報と前記データベースの情報とを照合し一致した場合に、前記管理サーバの前記第２の制御手段は、対象となる前記ユーザに所定のポイントを付与するように前記データベースを更新するステップと、
を有することを特徴とする広告方法。
【請求項９】
新しい広告画像に変更する場合には、前記提携店舗の店員によって前記取り外し治具を用いて前記携帯端末用ケースのロック状態が解除され、新しい広告画像が表示された広告画像部に変更した後、再度前記携帯端末用ケースがロック状態にされるステップを有することを特徴とする請求項８に記載の広告方法。
【請求項１０】
前記会員識別コード、広告画像識別コード及びケース識別コードは、バーコード又は二次元コードであることを特徴とする請求項８又は９に記載の広告方法。
【請求項１１】
前記店舗用端末には、所定の前記広告画像が表示された広告画像部を備えた携帯端末用ケースを前記ユーザが使用する場合、ユーザ登録用コードが表示された登録用コード付きレシートを出力手段により出力するステップと、
前記携帯端末によって前記ユーザ登録用コードを読み取ることにより、前記管理サーバによって運営される前記ネットワーク上のサイトで前記ユーザに関する情報の入力、修正又は確認を行うステップとを有する、
ことを特徴とする請求項８乃至１０のいずれか１つの項に記載の広告方法。
【請求項１２】
前記ユーザ登録用コードは、バーコード又は二次元コードであることを特徴とする請求１１に記載の広告方法。
【請求項１３】
前記管理サーバの前記第２の送信手段により、前記所定の貸与期間経過した場合、前記ユーザの携帯端末に実装完了情報を送信するステップを有することを特徴とする請求項８乃至１２のいずれか１つの項に記載の広告方法。
【請求項１４】
前記携帯端末の画面上に会員識別コードを表示させて前記会員カードの代用にすることを特徴とする請求項８乃至１３のいずれか１つの項に記載の広告方法。
【請求項１５】
請求項１乃至７のいずれか１つの項に記載の広告システムに用いられることを特徴とする管理サーバ。
【請求項１６】
請求項１５に記載の管理サーバの前記第２の制御手段の処理を実行させることを特徴とするプログラム。
【請求項１７】
請求項１乃至７のいずれか１つの項に記載の広告システムに用いられることを特徴とする携帯端末用ケース。
【発明の詳細な説明】
【技術分野】
【０００１】
本発明は、携帯端末用ケースを用いた広告システム、広告方法、管理サーバ、プログラム及び携帯端末用ケースに関し、特に、広告画像を表示した携帯端末用ケースに携帯端末をロック状態で収納してユーザに貸与することにより広告を行い、その対価として、ユーザにポイントを還元するための携帯端末用ケースを用いた広告システム、広告方法、管理サーバ、プログラム及び携帯端末用ケースに関する。
【背景技術】
【０００２】
一般に、スマートフォン、携帯電話、携帯情報端末機、携帯ゲーム機等の携帯端末を落下や衝撃から保護するために、種々の形態やデザインのケース（ホルダー）が提案されている。
【０００３】
例えば、特許文献１には、携帯端末を手で持つときに携帯端末を手に保持させるホルダーにおいて、携帯端末の掌が接する部分に取付けられる取付けベースと、取付けベースに取付けられる取付けピンと、取付けピンにピン回りに回転自在又は変形可能に取付けられ、指が差し込まれるリングとを備えた携帯端末ホルダーが提案されている。この携帯端末ホルダーによれば、縦向きにしても横向きにしても操作しやすく、しかも落下を確実に防止できる、としている（以下、この技術を従来例１という）。
【０００４】
また、特許文献２には、広告宣伝や情報を印刷したメモ用紙を備えた携帯電話ケースが提案されている（以下、この技術を従来例２という）。
【０００５】
さらに、携帯端末の画面上に広告を表示することも広く知られている（以下、この技術を従来例３という）。
【特許文献１】特開２０１１−３５８１０号公報
【特許文献２】実用新案登録第３１０８５５７号公報
【発明の概要】
【発明が解決しようとする課題】
【０００６】
従来例１では、携帯端末ホルダーが専ら落下防止のために用いられるものであり、広告媒体として利用されていないという課題があった。
【０００７】
従来例２では、携帯電話ケースが広告媒体として利用されているが、広告効果がどの程度あったのか、どのような広告が有効であったのか等のマーケティング情報を全く得ることができないという課題があった。
【０００８】
また、携帯電話のユーザが携帯電話ケースに収納していない場合には、広告効果が得られず、携帯電話ケースに収納しているか否かの確認も行うことができないという課題があった。
【０００９】
従来例３では、広告をアピールする対象が携帯端末を利用するユーザに限定されるという課題があった。
【００１０】
また、インターネット等のネットワークから広告配信されるので、携帯端末の電源を入れ、かつネットワークに接続された環境でなければ広告効果を得られないという課題があった。
【００１１】
本発明は、上記課題を解決するためになされたものであり、広告画像を表示した携帯端末用ケースに携帯端末をロック状態で収納してユーザに貸与することにより広告を行い、その対価として、ユーザにポイントを還元することにより、ユーザ以外の第三者に対しても広告効果を広めることができ、有益なマーケティング情報を得ることができ、安価で確実かつ効率的な広告効果を得ることができる携帯端末用ケースを用いた広告システム、広告方法、管理サーバ、プログラム及び携帯端末用ケースを提供することを目的とする。
【課題を解決するための手段】
【００１２】
本発明の広告システムは、会員であるユーザが所有する携帯端末及び会員カードと、広告画像が表示された広告画像部を備え、前記携帯端末をロック状態で収納可能であり、前記ユーザに貸与される携帯端末用ケースと、提携店舗に設置される店舗用端末及び前記携帯端末用ケースのロック状態を解除するための取り外し治具と、前記ユーザと前記提携店舗との取引に応じて前記ユーザに付与されるポイントを管理する管理サーバとを有し、前記携帯端末、前記店舗用端末及び管理サーバがネットワークを介して接続されている広告システムであって、
前記会員カードには会員識別コードが表示され、
前記広告画像部には広告画像識別コードが表示され、
前記携帯端末用ケースにはケース識別コードが表示され、
前記店舗用端末は、前記会員識別コード、広告画像識別コード及びケース識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報、使用広告画像情報及び使用携帯端末用ケース情報を格納するデータベースと、各種情報を送信する第２の送信手段と、各種情報を受信する第２の受信手段と、前記データベース、前記第２の送信手段及び前記第２の受信手段の処理を制御する第２の制御手段とを有し、
前記提携店舗に出向いた前記ユーザによって、前記携帯端末用ケースに表示すべき広告画像が決定された場合、前記提携店舗の店員によって、前記店舗用端末の読取手段により前記会員識別コード、該当する前記広告画像識別コード及び前記ケース識別コードを読み取り、読み取られた各コード情報を前記第１の送信手段により前記管理サーバに送信し、
前記管理サーバは、前記第２の受信手段により受信された前記各コード情報に基づいて、前記データベースの情報を前記第２の制御手段により登録又は更新し、かつ、
前記提携店舗の店員によって、前記広告画像が表示された広告画像部を備えた前記携帯端末用ケースを前記携帯端末にロック状態で収納し、その状態で前記ユーザに所定の貸与期間貸与され、
前記所定の貸与期間が経過した場合、前記ユーザが出向いた前記提携店舗の店員によって、前記店舗用端末の読取手段により前記会員識別コード、使用された広告画像の広告画像識別コード及びケース識別コードを読み取り、読み取られた各コード情報を前記第１の送信手段により前記管理サーバに送信し、前記管理サーバの前記第２の受信手段により受信された情報と前記データベースの情報とを照合し一致した場合に、前記管理サーバの前記第２の制御手段は、対象となる前記ユーザに所定のポイントを付与するように前記データベースを更新する、
ことを特徴とするものである。
【００１３】
新しい広告画像に変更する場合には、前記提携店舗の店員によって前記取り外し治具を用いて前記携帯端末用ケースのロック状態が解除され、新しい広告画像が表示された広告画像部に変更した後、再度前記携帯端末用ケースがロック状態にされるものでもよい。
【００１４】
前記会員識別コード、広告画像識別コード及びケース識別コードは、バーコード又は二次元コードであってもよい。
【００１５】
前記店舗用端末には、所定の前記広告画像が表示された広告画像部を備えた携帯端末用ケースを前記ユーザが使用する場合、ユーザ登録用コードが表示された登録用コード付きレシートを出力する出力手段を有し、
前記携帯端末によって前記ユーザ登録用コードを読み取ることにより、前記管理サーバによって運営される前記ネットワーク上のサイトで前記ユーザに関する情報の入力、修正又は確認を行うことが可能であってもよい。
【００１６】
前記ユーザ登録用コードは、バーコード又は二次元コードであってもよい。
【００１７】
前記管理サーバの前記第２の送信手段は、前記所定の貸与期間経過した場合、前記ユーザの携帯端末に実装完了情報を送信してもよい。
【００１８】
前記携帯端末の画面上に会員識別コードを表示させて前記会員カードの代用にしてもよい。
【００１９】
本発明の広告方法は、会員であるユーザが所有する携帯端末及び会員カードと、広告画像が表示された広告画像部を備え、前記携帯端末をロック状態で収納可能であり、前記ユーザに貸与される携帯端末用ケースと、提携店舗に設置される店舗用端末及び前記携帯端末用ケースのロック状態を解除するための取り外し治具と、前記ユーザと前記提携店舗との取引に応じて前記ユーザに付与されるポイントを管理する管理サーバとを有し、前記携帯端末、前記店舗用端末及び管理サーバがネットワークを介して接続され、
前記会員カードには会員識別コードが表示され、
前記広告画像部には広告画像識別コードが表示され、
前記携帯端末用ケースにはケース識別コードが表示され、
前記店舗用端末は、前記会員識別コード、広告画像識別コード及びケース識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報、使用広告画像情報及び使用携帯端末用ケース情報を格納するデータベースと、各種情報を送信する第２の送信手段と、各種情報を受信する第２の受信手段と、前記データベース、前記第２の送信手段及び前記第２の受信手段の処理を制御する第２の制御手段とを有し、
（１）前記提携店舗に出向いた前記ユーザによって、前記携帯端末用ケースに表示すべき広告画像が決定された場合、前記提携店舗の店員によって、前記店舗用端末の読取手段により前記会員識別コード、該当する前記広告画像識別コード及び前記ケース識別コードを読み取るステップと、
（２）読み取られた前記各コード情報を前記第１の送信手段により前記管理サーバに送信するステップと、
（３）前記管理サーバは、前記第２の受信手段により受信された前記各コード情報に基づいて、前記データベースの情報を前記第２の制御手段により登録又は更新するステップと、
（４）前記提携店舗の店員によって、前記広告画像が表示された広告画像部を備えた前記携帯端末用ケースを前記携帯端末にロック状態で収納し、その状態で前記ユーザに所定の貸与期間貸与されるステップと、
（５）前記所定の貸与期間経過した場合、前記ユーザが出向いた前記提携店舗の店員によって、前記店舗用端末の読取手段により前記会員識別コード、使用された広告画像の広告画像識別コード及びケース識別コードを読み取るステップと、
（６）読み取られた各コード情報を前記第１の送信手段により前記管理サーバに送信するステップと、
（７）前記管理サーバの前記第２の受信手段により受信された情報と前記データベースの情報とを照合し一致した場合に、前記管理サーバの前記第２の制御手段は、対象となる前記ユーザに所定のポイントを付与するように前記データベースを更新するステップと、
を有することを特徴とするものである。
【００２０】
新しい広告画像に変更する場合には、前記提携店舗の店員によって前記取り外し治具を用いて前記携帯端末用ケースのロック状態が解除され、新しい広告画像が表示された広告画像部に変更した後、再度前記携帯端末用ケースがロック状態にされるステップを有してもよい。
【００２１】
前記会員識別コード、広告画像識別コード及びケース識別コードは、バーコード又は二次元コードであってもよい。
【００２２】
前記店舗用端末には、所定の前記広告画像が表示された広告画像部を備えた携帯端末用ケースを前記ユーザが使用する場合、ユーザ登録用コードが表示された登録用コード付きレシートを出力手段により出力するステップと、
前記携帯端末によって前記ユーザ登録用コードを読み取ることにより、前記管理サーバによって運営される前記ネットワーク上のサイトで前記ユーザに関する情報の入力、修正又は確認を行うステップとを有してもよい。
【００２３】
前記ユーザ登録用コードは、バーコード又は二次元コードであってもよい。
【００２４】
前記管理サーバの前記第２の送信手段により、前記所定の貸与期間経過した場合、前記ユーザの携帯端末に実装完了情報を送信するステップを有してもよい。
【００２５】
前記携帯端末の画面上に会員識別コードを表示させて前記会員カードの代用にしてもよい。
【００２６】
本発明の管理サーバは、前記広告システムに用いられることを特徴とするものである。
【００２７】
本発明のプログラムは、前記管理サーバの前記第２の制御部の処理を実行させることを特徴とするものである。
【００２８】
本発明の携帯端末用ケースは、前記広告システムに用いられることを特徴とするものである。
【発明の効果】
【００２９】
本発明によれば、次のような効果を奏する。
【００３０】
（１）広告画像が表示され、人の目にとまりやすい携帯端末用ケースを広告媒体にしてユーザに貸与することにより広告を行うので、携帯端末のユーザだけでなく、周りの第三者に対しても広告画像を提示することになるので、広告効果をより広めることができる。
【００３１】
（２）携帯端末用ケースを広告媒体にしており、携帯端末の電源をＯＦＦにした状態であったり、インターネット等のネットワークに接続していない状態であっても広告効果を得ることができ、簡易で安価な広告システムを構築できる。
【００３２】
（３）ユーザにとっては、携帯端末用ケースを利用して携帯端末を保護できるだけでなく、ポイントが付与されるので、本広告システムに対するユーザのリピート率が高まり、効率よく広告効果を高めることができる。
【００３３】
（４）提携店舗にとっては、本広告システムに対するユーザのリピート率が高まることにより集客効果を得ることができ、提携店舗の収益向上につながる。
【００３４】
（５）カード管理会社や提携店舗にとっては、どの広告画像がどの程度の広告効果があるのか、どのような広告が有効であったのか等の有益なマーケティング情報を広告スポンサーに提供できる。例えば広告画像とすべき候補が複数ある場合、従来であれば広告スポンサーが候補の中から一つを選択して使用していたが、本広告システムでは、すべての候補の広告画像を使用して、どの広告画像が有効であるのかを使用後のデータ等により判断することが可能である。
【００３５】
（６）携帯端末用ケースをロック状態にしてユーザに貸与しているので、ユーザが勝手に携帯端末用ケースから携帯電話を取り外すことを防止でき、確実で信頼性の高い広告効果を得ることができる。
【図面の簡単な説明】
【００３６】
【図１】本発明の実施形態例に係る広告システムを示すブロック図である。
【図２】（Ａ）は本発明の実施形態例に係る広告システムに用いられる会員カードの例を示す表面図、（Ｂ）はその裏面図である。
【図３】（Ａ）は本発明の実施形態例に係る広告システムに用いられる広告画像部の例を示す表面図、（Ｂ）はその裏面図である。
【図４】本発明の実施形態例に係る広告システムに用いられる携帯端末用ケースの例を示す正面図である。
【図５】本発明の実施形態例に係る広告システムに用いられる携帯端末用ケースの例を示す分解斜視図である。
【図６】本発明の実施形態例に係る広告システムに用いられる携帯端末用ケースの例を示す組立後の斜視図である
【図７】本発明の実施形態例に係る広告システムに用いられる取り外し治具の例を示す斜視図である。
【図８】（Ａ）は図６のVIII−VIII線断面図、（Ｂ）は取り外し治具により携帯端末用ケースのロック状態を解除する動作を説明するための説明図である。
【図９】本発明の実施形態例に係る広告方法を説明するためのフローチャートである。
【図１０】登録用コード付きレシートの例を示す説明図である。
【図１１】管理サーバで運用されるサイトのフロント画面の例を示す説明図である。
【図１２】管理サーバで運用されるサイトのユーザ登録に関する画面の例を示す説明図である。
【図１３】携帯端末でユーザ登録完了メールを受信した画面を示す説明図である。
【図１４】携帯端末で実装完了メールを受信した画面を示す説明図である。
【発明を実施するための最良の形態】
【００３７】
以下、本発明の実施の形態について図面を参照して説明する。図１は本発明の実施形態例に係る広告システムを示すブロック図、図２（Ａ）は本発明の実施形態例に係る広告システムに用いられる会員カードの例を示す表面図、（Ｂ）はその裏面図、図３（Ａ）は本発明の実施形態例に係る広告システムに用いられる広告画像部の例を示す表面図、（Ｂ）はその裏面図、図４は本発明の実施形態例に係る広告システムに用いられる携帯端末用ケースの例を示す正面図、図５は本発明の実施形態例に係る広告システムに用いられる携帯端末用ケースの例を示す分解斜視図、図６は本発明の実施形態例に係る広告システムに用いられる携帯端末用ケースの例を示す組立後の斜視図、図７は本発明の実施形態例に係る広告システムに用いられる取り外し治具の例を示す斜視図、図８（Ａ）は図６のVIII−VIII線断面図、（Ｂ）は取り外し治具により携帯端末用ケースのロック状態を解除する動作を説明するための説明図である。
【００３８】
図１に示すように、本発明の実施形態例に係る広告システムＳは、会員であるユーザＵが所有する携帯端末１及び会員カード２と、広告画像が表示された広告画像部３を備え、携帯端末１をロック状態で収納可能であり、ユーザＵに貸与される携帯端末用ケース４と、提携店舗Ｔに設置される店舗用端末５及び携帯端末用ケース４のロック状態を解除するための取り外し治具６と、カード管理会社Ｃ等に設置され、ユーザＵと提携店舗Ｔとの取引に応じてユーザＵに付与されるポイントを管理する管理サーバ７とを有し、携帯端末１、店舗用端末５及び管理サーバ７がネットワークＮを介して接続されている。
【００３９】
携帯端末１は、例えばスマートフォン、携帯電話、携帯情報端末機、携帯ゲーム機等である。
【００４０】
会員カード２は、ユーザＵが提携店舗Ｔにおいて商品の購入やサービスの提供等の取引をする際に店員に提示することにより、ポイントの付与を受けるための媒体であり、磁気カード、ＩＣカード等の記録媒体が用いられる。付与されるポイント数は取引の内容等所定の基準に応じて適宜設定されている。なお、ユーザＵは、アンケートへの回答や金融機関の口座開設等取引以外でもポイントの付与を受けることができ、また、取得したポイントを用いて、当該提携店舗Ｔにおいて商品を購入したり、サービスの提供を受けたり、募金等を行うことも可能である。
【００４１】
図２に示すように、会員カード２の表面にはカード名や模様等が表示され（図２（Ａ）参照）、その裏面には会員を識別するための会員識別コード２ａであるバーコードが表示されている（図２（Ｂ）参照）。なお、会員識別コード２ａとしてＱＲコード（登録商標）等の二次元コードが用いられてもよい。
【００４２】
広告画像部３は例えば紙、プラスチック、フィルム等で作られており、図３に示すように、広告画像部３の表面には広告画像が表示され（図３（Ａ）参照）、その裏面には広告画像を識別するための広告画像識別コード３ａであるバーコードが表示されている（図３（Ｂ）参照）。なお、広告画像識別コード３ａとしてＱＲコード（登録商標）等の二次元コードが用いられてもよい。
【００４３】
携帯端末用ケース４は、全体がプラスチック、金属、皮等の材質で作られており、図４に示すように、略長方形の底面部４ｂと、その底面部４ｂの周縁に形成された外枠部４ｃとからなる断面略凹状の本体８を有し、外枠部４ｃの内側に携帯端末１が嵌り収納される。
【００４４】
携帯端末用ケース４の底面部４ｂの裏面には携帯端末用ケース４を識別するためのケース識別コード４ａであるバーコードが表示されている（図４参照）。なお、ケース識別コード４ａとしてＱＲコード（登録商標）等の二次元コードが用いられてもよい。
【００４５】
携帯端末用ケース４のロック機構については種々の形態が考えられるが、以下説明する形態は例示であり、これに限定されるものではない。
【００４６】
図５及び図６に示すように、携帯端末用ケース４の本体８は、第１の本体９と、その第１の本体９に着脱可能に取り付けられる平面視略コ字状の第２の本体１０とからなる。
【００４７】
第１の本体９の外枠部の内側下部には第１のスライド用溝９ａが長手方向に延びて形成され、第２の本体１０の外枠部の先端には第１のスライド用溝９ａにスライド可能に挿入される第２の係止片１０ａが形成されている。第２の係止片１０ａの先端部は第１のスライド用溝９ａ内に形成された第１の係止孔９ｂに係止される。
【００４８】
第１の本体９の外枠部の内側上部には第２のスライド用溝９ｃが長手方向に延びて形成され、その第２のスライド用溝９ｃに略長方形状の透明板１１がスライド可能に挿入される。
【００４９】
透明板１１と第１の本体９の上面との間に広告画像部３が配置される（図８（Ａ）参照）。
【００５０】
透明板１１の裏面の先端部には一対の第１の係止片１１ａが形成され、その第１の係止片１１ａは第２の本体１０の上面に形成された一対の第２の係止孔１０ｂに係止される（図８（Ａ）参照）。
【００５１】
図７に示すように、取り外し治具６は、略長方形状の底面６ａと、平面視略コ字状に形成された外枠部６ｂとを有し、底面に一対の押し上げ用ピン６ｃが設けられている。
【００５２】
携帯端末用ケース４に携帯端末１をロック状態で収納する場合、図５に示すように、第１の本体９の上面に広告画像部３を配置し、透明板１１を第２のスライド用溝９ｃにスライドさせながら挿入し、第１の本体９の外枠部内に携帯端末１を入れる。
【００５３】
次いで、第２の本体１０の第２の係止片１０ａを第１の本体９の第１のスライド用溝９ａにスライドさせながら挿入して、第１の係止孔９ｂに係止させ、かつ、透明板１１の第１の係止片１１ａを第２の本体１０の第２の係止孔１０ｂに係止させる（図８（Ａ）参照）。これによって携帯端末用ケース４がロック状態になり、携帯端末１と携帯端末用ケース４が一体となる。
【００５４】
携帯端末用ケース４のロック状態を解除する場合には、取り外し治具６を第２の本体１０の下部に配置し、押し上げ用ピン６ｃを第２の係止孔１０ｂの下部から挿入し（図８（Ｂ）参照）、透明板１１の第１の係止片１１ａを上側に押し上げ、透明板１１と第２の本体１０との係止状態を解除するとともに、第２の本体１０の外枠部を内側に押圧することにより、第２の係止片１０ａの第１の係止孔９ｂへの係止状態を解除し、第１の本体９と第２の本体１０との係止状態を解除する。これによって、携帯端末用ケース４のロック状態が解除され、携帯端末用ケース４から携帯端末１を取り外すことができる。
【００５５】
提携店舗Ｔは、例えばコンビニエンスストア、ＤＶＤ・ＣＤ・ゲームソフト・書籍等のレンタル店、音楽・映像ソフトの販売店、旅行代理店、飲食店、ガソリンスタンド、スポーツクラブ店、レンタカー店等である。
【００５６】
店舗用端末５は、例えばＰＯＳ（Point Of Sale)システムに用いられる情報管理端末が用いられ、会員識別コード２ａ、広告画像識別コード３ａ及びケース識別コード４ａを読み取り可能なバーコードリーダ等の読取部５ａと、各種情報を送信する第１の送信部５ｂと、各種情報を受信する第１の受信部５ｃ、読取部５ａ、第１の送信部５ｂ及び第１の受信部５ｃの処理を制御する第１の制御部５ｄとを有する。
【００５７】
管理サーバ７は、例えばワークステーションサーバなどの情報処理装置であり、各種情報を格納するデータベース７ａと、各種情報を送信する第２の送信部７ｂと、各種情報を受信する第２の受信部７ｃと、データベース７ａ、第２の送信部７ｂ及び第２の受信部７ｃの処理を制御する第２の制御部７ｄとを有する。
【００５８】
データベース７ａは、ユーザ登録情報、ポイント情報等を格納する会員データベースと、使用広告画像情報、使用携帯端末用ケース情報などを格納する広告データベースとを有する。
【００５９】
ネットワークＮは、例えばインターネット（ＴＣＰ／ＩＰ（Transmission Control Protocol/Internet Protocol）によるデータ転送網）、イントラネット等である。
【００６０】
図９は本発明の実施形態例に係る広告方法を説明するためのフローチャートである。
【００６１】
なお、前提として、ユーザＵは本広告システムＳを利用するための登録手続きは済んでおり、その登録情報は管理サーバ７のデータベース７ａに登録されているものとする。
【００６２】
まず、提携店舗Ｔに出向いたユーザＵによって、携帯端末用ケース４に表示すべき広告画像が決定される。広告画像は、例えば雑誌や専用シート等に複数列挙して掲載され、その中からユーザＵが適宜選択できるようにしてもよい。また、広告画像部３は提携店舗Ｔが所有してもよく、ユーザＵが雑誌等から切り抜いて、それを広告画像部３として使用してもよい。
【００６３】
提携店舗Ｔの店員によって、店舗用端末５の読取部５ａにより会員識別コード２ａ、該当する広告画像識別コード３ａ及びケース識別コード４ａを読み取る（ステップＳ１）。
【００６４】
次いで、読み取られた各コード情報を第１の送信部５ｂにより管理サーバ７に送信する（ステップＳ２）。
【００６５】
次いで、管理サーバ７は、第２の受信部７ｃにより受信された各コード情報に基づいて、データベース７ａの情報を第２の制御部７ｄにより登録又は更新する（ステップＳ３）。
【００６６】
次いで、提携店舗Ｔの店員によって、広告画像が表示された広告画像部３を備えた携帯端末用ケース４を携帯端末１にロック状態で収納し、その状態でユーザＵに所定の貸与期間貸与される（ステップＳ４）。
【００６７】
所定の貸与期間経過した場合、ユーザＵが出向いた提携店舗Ｔの店員によって、店舗用端末５の読取部５ａにより会員識別コード２ａ、使用された広告画像の広告画像識別コード３ａ及びケース識別コード４ａを読み取る（ステップＳ５）。
【００６８】
次いで、読み取られた各コード情報を第１の送信部５ｂにより管理サーバ７に送信する（ステップＳ６）。
【００６９】
次いで、管理サーバ７の第２の受信部７ｃにより受信された情報とデータベース７ａの情報とを照合一致した場合（ステップＳ７）、管理サーバ７の第２の制御部７ｄは、対象となるユーザＵに所定のポイントを付与するようにデータベース７ａを更新する（ステップＳ８）。
【００７０】
新しい広告画像に変更する場合には、提携店舗Ｔの店員によって取り外し治具６を用いて携帯端末用ケース４のロック状態が解除され、新しい広告画像が表示された広告画像部３に変更した後、再度携帯端末用ケース４をロック状態にして、ユーザＵに貸与される。
【００７１】
図１０は登録用コード付きレシートの例を示す説明図である。
【００７２】
店舗用端末５には、所定の広告画像が表示された広告画像部３を備えた携帯端末用ケース４をユーザＵが使用する場合、図１０に示すように、ユーザ登録用コード１２ａが表示された登録用コード付きレシート１２を印刷して出力する出力部５ｅを有してもよい。
【００７３】
携帯端末１によって登録用コード付きレシート１２に表示されたユーザ登録用コード１２ａを読み取ることにより、管理サーバ７によって運営されるネットワークＮ上のサイトでユーザＵに関する情報の入力、修正又は確認を行うことが可能である。ユーザ登録用コード１２ａは、ＱＲコード（登録商標）等の二次元コードが用いられるが、バーコードが用いられてもよい。
【００７４】
図１１は管理サーバ７で運用されるサイトのフロント画面の例を示す説明図である。図１１に示すように、ユーザＵは携帯端末１を用いて会員ＩＤとパスワードを入力してログインする。
【００７５】
図１２は管理サーバ７で運用されるサイトのユーザ登録に関する画面の例を示す説明図である。図１２に示すように、登録名と登録メールアドレスを確認し、変更がある場合には修正することが可能である。これによって、携帯端末１のメールアドレス等の情報が変更されていても、最新の情報に更新することができる。
【００７６】
図１３は携帯端末１でユーザ登録完了メールを受信した画面を示す説明図である。図１３に示すように、ユーザ登録が完了すると、管理サーバ７から完了した旨のメールが通知される。
【００７７】
図１４は携帯端末１で実装完了メールを受信した画面を示す説明図である。
【００７８】
管理サーバの第２の送信部７ｂは、所定の貸与期間経過した場合、図１４に示すように、ユーザＵの携帯端末１に実装完了情報を送信してもよい。
【００７９】
本発明のプログラム１３は、管理サーバ７の第２の制御部７ｄの処理を実行させること特徴とするものである。このプログラム１３は、磁気ディスク、ＣＤ−ＲＯＭ、半導体メモリ等の記録媒体に記録されていてもよく、通信ネットワークＮを介してダウンロードされるものでもよい。
【００８０】
本発明の実施形態例によれば、広告画像が表示され、人の目にとまりやすい携帯端末用ケース４を広告媒体にしてユーザＵに貸与することにより広告を行うので、携帯端末１のユーザＵだけでなく、周りの第三者に対しても広告画像を提示することになるので、広告効果をより広めることができる。
【００８１】
また、携帯端末用ケース４を広告媒体にしており、携帯端末１の電源をＯＦＦにした状態であったり、インターネット等のネットワークＮに接続していない状態であっても広告効果を得ることができ、簡易で安価な広告システムＳを構築できる。
【００８２】
また、ユーザＵにとっては、携帯端末用ケース４を利用して携帯端末１を保護できるだけでなく、ポイントが付与されるので、本広告システムＳに対するユーザＵのリピート率が高まり、効率よく広告効果を高めることができる。
【００８３】
また、提携店舗Ｔにとっては、本広告システムＳに対するユーザＵのリピート率が高まることにより集客効果を得ることができ、提携店舗Ｔの収益向上につながる。
【００８４】
また、カード管理会社Ｃや提携店舗Ｔにとっては、どの広告画像がどの程度の広告効果があるのか、どのような広告が有効であったのか等の有益なマーケティング情報を広告スポンサーに提供できる。例えば広告画像とすべき候補が複数ある場合、従来であれば広告スポンサーが候補の中から一つを選択して使用していたが、本広告システムＳでは、すべての候補の広告画像を使用して、どの広告画像が有効であるのかを使用後のデータ等により判断することが可能である。
【００８５】
さらに、携帯端末用ケース４をロック状態にしてユーザＵに貸与しているので、ユーザＵが勝手に携帯端末用ケース４から携帯電話を取り外すことを防止でき、確実で信頼性の高い広告効果を得ることができる。
【００８６】
本発明は、上記実施の形態に限定されることはなく、特許請求の範囲に記載された技術的事項の範囲内において、種々の変更が可能である。
【００８７】
例えば、携帯端末１の画面上に会員識別コード２ａを表示させることにより、会員カード２の代用にしてもよい。
【産業上の利用可能性】
【００８８】
本発明は、スマートフォン、携帯電話、携帯情報端末機、携帯ゲーム機等の携帯端末を収納し、広告画像を表示した携帯端末用ケースを広告媒体にしてユーザに貸与することにより広告を行う。
【符号の説明】
【００８９】
Ｓ：広告システム
Ｔ：提携店舗
Ｕ：ユーザ
Ｃ：カード管理会社
Ｎ：ネットワーク
１：携帯端末
２：会員カード
３：広告画像部
４：携帯端末用ケース
５：店舗用端末
６：取り外し治具
７：管理サーバ
１３：プログラム
【図１】
2013254073.tif 000003
【図２】
2013254073.tif 000004
【図３】
2013254073.tif 000005
【図４】
2013254073.tif 000006
【図５】
2013254073.tif 000007
【図６】
2013254073.tif 000008
【図７】
2013254073.tif 000009
【図８】
2013254073.tif 000010
【図９】
2013254073.tif 000011
【図１０】
2013254073.tif 000012
【図１１】
2013254073.tif 000013
【図１２】
2013254073.tif 000014
【図１３】
2013254073.tif 000015
【図１４】
2013254073.tif 000016